(57)【要約】【課題】顧客に監視を代行している冷凍空調機器に関する付加価値レベルのデータを常に含む報告書を作成する冷熱機器監視報告書作成システムを提供する。【解決手段】冷熱機器監視報告書作成システムは、管理装置が１時間毎の製造熱量および積算消費電力量を算出し、監視サーバが管理装置から１日毎に製造熱量および積算消費電力量を収集し、収集した製造熱量および積算消費電力量を１月単位で積算し、積算した１月毎の製造熱量と積算消費電力量とを用いて成績係数を算出してデータベースに格納し、報告書を作成するときには予め定められた様式の成績係数が記載される箇所にデータベースから読み出した成績係数を挿入して報告書が出力される。【選択図】図１
2008249261.tif 000002
【特許請求の範囲】
【請求項１】
監視センタに配置される監視サーバ、監視対象の冷凍空調機器の状態信号が入力されるＡ／Ｄ変換装置および上記Ａ／Ｄ変換装置から状態信号を取り込んで上記監視サーバに送信する管理装置を備える冷熱遠隔監視システムにより運転状態が遠隔から監視される上記冷凍空調機器に関する運転実績の報告書を作成する冷熱機器監視報告書作成システムにおいて、
上記管理装置は、上記冷凍空調機器の所定の時間当たりの製造熱量および積算消費電力量を算出するとともに上記監視サーバからのデータ要求に応答し、
上記監視サーバは、上記管理装置から受信した上記製造熱量および積算消費電力量を月毎に積算するとともに上記月毎に積算した製造熱量と上記月毎に積算した積算消費電力量とから月毎の成績係数を算出してデータベースに格納し、且つ、予め定められた様式の成績係数が記載される箇所に上記データベースから読み出した成績係数を入力して報告書を作成することを特徴とする冷熱機器監視報告書作成システム。
【請求項２】
上記監視サーバは、上記月毎に積算した製造熱量と上記月毎に積算した積算消費電力量を上記データベースに格納するとともに予め定められた様式の製造熱量および積層消費電力量が記載される箇所に上記データベースから読み出した製造熱量および積層消費電力量を入力して報告書を作成することを特徴とする請求項１に記載の冷熱機器監視報告書作成システム。
【請求項３】
上記予め定められた様式には、前月の成績係数または前年同月の成績係数が記載される箇所が存在することを特徴とする請求項１または２に記載の冷熱機器監視報告書作成システム。
【発明の詳細な説明】
【技術分野】
【０００１】
この発明は、冷凍空調機器の遠隔監視を代行している監視者が顧客に冷凍空調機器の稼動状況を報告する報告書を作成する冷熱機器監視報告書作成システムに関するものである。
【背景技術】
【０００２】
現在のビル管理業務の市場動向としては環境問題や省エネルギーが大きく注目されており、顧客も故障しないようにという点に加え、省エネルギーの観点から、如何に無駄を無くし、安く運用できるという点が訴求点として大きな割合を占めてきている。
冷凍空調機器は、長時間運転していると、見掛け上正常でも、熱交換器が汚れたり、消耗部品が劣化したりして徐々に能力・効率が低下し、故障に至らなくても電気代の掛かる運転となっている場合がある（例えば、特許文献１参照）。
【０００３】
【特許文献１】特開平１１−２３１１３号公報
【発明の開示】
【発明が解決しようとする課題】
【０００４】
しかし、従来、冷凍空調機器を遠隔保守しているサービス会社が顧客向けに作成する報告書では、冷凍空調機器の冷媒回路における温度・圧力などの瞬時データの記載が主となっており、冷凍空調機器の故障に直結するようなデータ解析と報告しかできなかったため、現在顧客が求める省エネルギーなどの付加価値レベルの要望に十分に対応できていないという問題がある。
【０００５】
この発明の目的は、顧客に監視を代行している冷凍空調機器に関する付加価値レベルのデータを常に含む報告書を作成する冷熱機器監視報告書作成システムを提供することである。
【課題を解決するための手段】
【０００６】
この発明に係る冷熱機器監視報告書作成システムは、監視センタに配置される監視サーバ、監視対象の冷凍空調機器の状態信号が入力されるＡ／Ｄ変換装置および上記Ａ／Ｄ変換装置から状態信号を取り込んで上記監視サーバに送信する管理装置を備える冷熱遠隔監視システムにより運転状態が遠隔から監視される上記冷凍空調機器に関する運転実績の報告書を作成する冷熱機器監視報告書作成システムにおいて、上記管理装置は、上記冷凍空調機器の所定の時間当たりの製造熱量および積算消費電力量を算出するとともに上記監視サーバからのデータ要求に応答し、上記監視サーバは、上記管理装置から受信した上記製造熱量および積算消費電力量を月毎に積算するとともに上記月毎に積算した製造熱量と上記月毎に積算した積算消費電力量とから月毎の成績係数を算出してデータベースに格納し、且つ、予め定められた様式の成績係数が記載される箇所に上記データベースから読み出した成績係数を入力して報告書を作成する。
【発明の効果】
【０００７】
この発明に係る冷熱機器監視報告書作成システムの効果は、管理装置が１時間毎の製造熱量および積算消費電力量を算出し、監視サーバが管理装置から１日毎に製造熱量および積算消費電力量を収集し、収集した製造熱量および積算消費電力量を１月単位で積算し、積算した１月毎の製造熱量と積算消費電力量とを用いて成績係数を算出してデータベースに格納し、報告書を作成するときには予め定められた様式の成績係数が記載される箇所にデータベースから読み出した成績係数を挿入して報告書が出力されるので、報告書作成者が特に意図しなくても報告書の作成のプログラムを実行するだけで成績係数が含まれた報告書を作成することができる。その結果、顧客の省エネルギーや環境保護などの関心に十分答えることができる。
【発明を実施するための最良の形態】
【０００８】
実施の形態１．
図１は、この発明に係る実施の形態による冷熱機器監視報告書作成システムにより冷凍・空調機器リモート性能診断報告書が作成される冷熱遠隔監視システムの構成図である。図２は、この発明に係る実施の形態によるＡ／Ｄ変換装置の一部構成を示す構成図である。図３は、この発明に係る実施の形態による管理装置の機能ブロック図である。図４は、この発明に係る実施の形態による監視サーバの機能ブロック図である。
【０００９】
この発明に係る実施の形態による冷熱遠隔監視システムは、色々な位置に置かれている複数の冷凍機器または空調機器（以下、冷凍空調機器と称す）１を監視センタ２にて一元的に顧客に代わって監視している。なお、以下の説明では理解し易くするために１つの冷凍空調機器１を監視するときについて説明する。そして、冷熱機器監視報告書作成システムは、月毎、期毎、年毎に監視している冷凍空調機器１の稼動状況を性能診断という形式で顧客に報告する際に冷凍・空調機器リモート性能診断報告書を作成する。
【００１０】
この発明に係る実施の形態による冷熱機器監視報告書作成システムは、監視対象の冷凍空調機器１の状態を監視するための各種センサ、各種センサの信号をＡ／Ｄ変換して管理装置４に送るＡ／Ｄ変換装置３、Ａ／Ｄ変換装置３からデータを取り込み、所望の演算を行って監視サーバ５に送る管理装置４、管理装置４とネットワーク６を介して通信を行う監視センタ２に備えられた監視サーバ５から構成されている。
Ａ／Ｄ変換装置３と管理装置４とは、無線ＬＡＮを介して通信が行われる。
【００１１】
この発明に係る実施の形態による冷凍空調機器１には、冷温水出口に設けられた流量計１１、図示しない電源に付帯された積算消費電力量計１２、外気温を計測する温度計１３、冷温水入口に設けられた水温計１４、冷温水出口に設けられた水温計１５、冷凍空調機器１の図示しない圧縮機の高圧側に設けられた圧力計１６、圧縮機の低圧側に設けられた圧力計１７、冷房暖房運転切換スイッチ１８、圧縮機運転スイッチ１９が備えられている。
【００１２】
この発明に係る実施の形態によるＡ／Ｄ変換装置３は、流量計１１からのパルス、積算消費電力量計１２からのパルス、冷房暖房運転切換スイッチ１８のＯＮ／ＯＦＦ信号、圧縮機運転スイッチ１９のＯＮ／ＯＦＦ信号、温度計１３からの信号、水温計１４、１５からの信号、圧力計１６、１７からの信号が入力される。
【００１３】
そして、Ａ／Ｄ変換装置３は、図２に示すように、流量計１１からのパルスをカウントする流量パルスカウンタ２１、積算消費電力量計１２からのパルスをカウントする電力量パルスカウンタ２２、冷房暖房運転切換スイッチ１８がＯＮのとき値１、ＯＦＦのとき値０が設定される冷房フラグ２３、冷房暖房運転切換スイッチ１８がＯＦＦのとき値１、ＯＮのとき値０が設定される暖房フラグ２４、圧縮機運転スイッチ１９がＯＮのとき値１、ＯＦＦのとき値０が設定される圧縮機運転フラグ２５が設けられている。
【００１４】
また、Ａ／Ｄ変換装置３は、管理装置４からデータ要求を受けたとき、外気温度、冷温水入口温度、冷温水出口温度、高圧圧力、低圧圧力、流量パルスカウンタ２１の流量カウント値、電力量パルスカウンタ２２の電力量カウント値、冷房フラグ２３の値、暖房フラグ２４の値、圧縮機運転フラグ２５の値を管理装置４に応答する。
また、Ａ／Ｄ変換装置３は、管理装置４に応答してデータを送信し完了すると、冷房フラグ２３、暖房フラグ２４、圧縮機運転フラグ２５をリセットする。
【００１５】
この発明に係る実施の形態による管理装置４は、図３に示すように、データ取込手段３１、データ平均手段３２、運転時間算出手段３３、発停回数算出手段３４、熱量算出手段３５、消費電力量算出手段３６、取込データ記憶手段３７、集計データ記憶手段３８、通信手段３９を有する。
【００１６】
データ取込手段３１は、Ａ／Ｄ変換装置３から所定の周期、例えば１分周期で外気温度、冷温水入口温度、冷温水出口温度、高圧圧力、低圧圧力、流量パルスカウント値、電力量パルスカウント値、冷房フラグ２３の値、暖房フラグ２４の値、圧縮機運転フラグ２５の値を取り込み、取り込んだデータを取込データ記憶手段３７に記憶する。
【００１７】
データ平均手段３２は、取り込んだ外気温度、冷温水入口温度、冷温水出口温度、高圧圧力および低圧圧力を所定の周期、例えば毎時０分に、直前の０分から５９分に亘って平均して毎時の時間平均データを算出し、０時から２３時での時間平均データを２４時間データとして集計データ記憶手段３８に記憶する。
【００１８】
運転時間算出手段３３は、取り込んだ圧縮機運転フラグ２５の値が１のときの１分間は運転されていると判断し、運転時間カウント値をインクリメントする。毎時０分で運転時間カウント値を直前の１時間での運転時間として集計データ記憶手段３８に記憶し、運転時間カウント値をリセットする。
発停回数算出手段３４は、取り込んだ圧縮機運転フラグ２５の値が０から１、１から０に変化したとき発停回数カウント値をインクリメントする。毎時０分で発停回数カウント値を直前の１時間での発停回数として集計データ記憶手段３８に記憶し、発停回数カウント値をリセットする。
【００１９】
熱量算出手段３５は、所定の間隔、例えば１分間隔に、取り込んだ流量パルスカウント値、冷温水入口温度、冷温水出口温度、冷房フラグ２３の値、暖房フラグ２４の値、圧縮機運転フラグ２５の値を用いて、式（１）と式（２）により冷房時製造熱量と暖房時製造熱量を算出する。
また、熱量算出手段３５は、算出した冷房時製造熱量および暖房時製造熱量をそれぞれ毎時の０分から５９分に亘って積算して時間当たりの冷房時積算製造熱量および時間当たりの暖房時積算製造熱量を算出し、０時から２３時のそれぞれ２４個の時間当たりの冷房時積算製造熱量および時間当たりの暖房時積算製造熱量を２４時間データとして集計データ記憶手段３８に記憶する。
【００２０】
冷房時製造熱量＝｛（（今回の流量パルスカウント値）−（前回の流量パルスカウント値））×６０｝×（｜冷温水出口温度−冷温水入口温度｜）×（比熱）×（比重）×（単位換算係数）×（冷房フラグ）×（圧縮機運転フラグ）      （１）
暖房時製造熱量＝｛（（今回の流量パルスカウント値）−（前回の流量パルスカウント値））×６０｝×（｜冷温水出口温度−冷温水入口温度｜）×（比熱）×（比重）×（単位換算係数）×（暖房フラグ）×（圧縮機運転フラグ）      （２）
【００２１】
消費電力量算出手段３６は、所定の間隔、例えば１分間隔に、取り込んだ電力量パルスカウント値、冷房フラグ２３の値、暖房フラグ２４の値を用いて、式（３）と式（４）により冷房時消費電力量および暖房時消費電力量を算出する。
また、消費電力量算出手段３６は、算出した冷房時消費電力量および暖房時消費電力量をそれぞれ毎時の０分から５９分に亘って積算して時間当たりの冷房時積算消費電力量および時間当たりの暖房時積算消費電力量を算出し、０時から２３時のそれぞれ２４個の時間当たりの冷房時積算消費電力量および時間当たりの暖房時積算消費電力量を２４時間データとして集計データ記憶手段３８に記憶する。
【００２２】
冷房時消費電力量＝｛（今回の電力量パルスカウント値）−（前回の電力量パルスカウント値）｝×（冷房フラグ）      （３）
暖房時消費電力量＝｛（今回の電力量パルスカウント値）−（前回の電力量パルスカウント値）｝×（暖房フラグ）      （４）
【００２３】
通信手段３９は、監視サーバ５からのデータを要求するリクエストメッセージに応答して、外気温度、冷温水入口温度、冷温水出口温度、運転時間、発停回数、高圧圧力、低圧圧力、冷房時積算製造熱量、冷房時積算消費電力量、暖房時積算製造熱量および暖房時積算消費電力量の２４時間データをレスポンスメッセージとして監視サーバ５に返信する。
【００２４】
この発明に係る実施の形態による監視サーバ５は、図４に示すように、データ収集手段４１、データ平均手段４２、データ積算手段４３、ＣＯＰ算出手段４４、報告書作成手段４５、収集用データベース４６、報告書用データベース４７を有する。
データ収集手段４１は、管理装置４から所定の周期、例えば２４時間周期でデータを収集する。収集するデータは、冷凍空調機器の使用環境としての外気温度、冷温水入口温度、冷温水出口温度、運転時間、発停回数、高圧圧力、低圧圧力、冷房時積算製造熱量、冷房時積算消費電力量、暖房時積算製造熱量および暖房時積算消費電力量の２４時間データである。そして、データ収集手段４１は、収集したデータを収集用データベース４６に格納する。
【００２５】
データ平均手段４２は、収集した外気温度、冷温水入口温度、冷温水出口温度、高圧圧力および低圧圧力の２４時間データを所定の周期、例えば毎月の１日に、日に亘って平均して日平均データを算出し、さらに、日平均データを当該月に亘って平均して月平均データを算出する。算出された月平均データである、月平均外気温度、月平均冷温水入口温度、月平均冷温水出口温度、月平均高圧圧力および月平均低圧圧力を報告書用データベース４７に格納する。
【００２６】
データ積算手段４３は、収集した運転時間、発停回数、冷房時積算製造熱量、冷房時積算消費電力量、暖房時積算製造熱量および暖房時積算消費電力量の２４時間データを所定の周期、例えば毎月の１日に日に亘って積算して日積算データを算出し、さらに、日積算データを当該月に亘って積算して月積算データを算出する。算出された月積算データである、月積算運転時間、月積算発停回数、冷房時月積算製造熱量、冷房時月積算消費電力量、暖房時月積算製造熱量および暖房時月積算消費電力量を報告書用データベース４７に格納する。
【００２７】
ＣＯＰ算出手段４４は、報告書用データベース４７に格納された冷房時月積算製造熱量、冷房時月積算消費電力量、暖房時月積算製造熱量、暖房時月積算消費電力量を読み出し、冷房時月積算製造熱量と暖房時月積算製造熱量をそれぞれ冷房時月積算消費電力量と暖房時月積算消費電力量で除算し、その商を冷房成績係数（Ｃｏｅｆｆｉｃｉｅｎｔ  ｏｆ  Ｐｅｒｆｏｒｍａｎｃｅ、以下「ＣＯＰ」と称す）と暖房ＣＯＰとして報告書用データベース４７に格納する。
【００２８】
報告書作成手段４５は、図５に示すような様式でＸＳＬで記述されたスタイルシートの該当するデータを報告書用データベース４７から読み出し、スタイルシートを作成する。そして、スタイルシートを監視サーバ５の図示しないモニターに表示する。
報告書作成担当者は、モニターに表示された冷凍・空調機器リモート性能診断報告書のデータを確認して総合所見を考案して冷凍・空調機器リモート性能診断報告書の総合所見欄に入力して冷凍・空調機器リモート性能診断報告書を完成し顧客に報告する。
このとき、算出したＣＯＰと冷凍空調機器１の仕様値として定めされているＣＯＰとを比較分析したり、算出したＣＯＰと報告書用データベース４７に格納されている前年同月のＣＯＰとを比較分析したりする。この比較分析により、冷凍空調機器１の能力が正常に発揮されている否か、また、年々能力が低下していないか否かを判断することができる。
【００２９】
この発明に係る実施の形態による冷熱機器監視報告書作成システムでは、管理装置４が１時間毎の積算製造熱量および積算消費電力量を算出し、監視サーバ５が管理装置４から１日毎に積算製造熱量および積算消費電力量を収集し、収集した積算製造熱量および積算消費電力量を１月単位で積算し、積算した１月毎の積算製造熱量と積算消費電力量とを用いて成績係数を算出してデータベースに格納し、報告書を作成するときには予め定められた様式の成績係数が記載される箇所にデータベースから読み出した成績係数を挿入して報告書が出力されるので、報告書作成者が特に意図しなくても報告書の作成のプログラムを実行するだけで成績係数が含まれた報告書を作成することができる。その結果、顧客の省エネルギーや環境保護などの関心に十分答えることができる。
【００３０】
また、報告書を作成するときには予め定められた様式の月当たりの積算製造熱量や積算消費電力量が記載される箇所にデータベースから読み出した積算製造熱量や積算消費電力量が挿入されて報告書が出力されるので、報告書作成者が特に意図しなくても報告書の作成のプログラムを実行するだけで経済性関連の積算製造熱量や積算消費電力量が含まれた報告書を作成することができる。その結果、顧客の経済的な関心にも十分答えることができる。
【図面の簡単な説明】
【００３１】
【図１】この発明に係る実施の形態による冷熱機器監視報告書作成システムにより冷凍・空調機器リモート性能診断報告書が作成される冷熱遠隔監視システムの構成図である。
【図２】この発明に係る実施の形態によるＡ／Ｄ変換装置の一部構成を示す構成図である。
【図３】この発明に係る実施の形態による管理装置の機能ブロック図である。
【図４】この発明に係る実施の形態による監視サーバの機能ブロック図である。
【図５】冷凍・空調機器リモート性能診断報告書の様式の例である。
【符号の説明】
【００３２】
１  冷凍空調機器、２  監視センタ、３  Ａ／Ｄ変換装置、４  管理装置、５  監視サーバ、６  ネットワーク、１１  流量計、１２  積算消費電力量計、１３  温度計、１４、１５  水温計、１６、１７  圧力計、１８  冷房暖房運転切換スイッチ、１９  圧縮機運転スイッチ、２１  流量パルスカウンタ、２２  電力量パルスカウンタ、２３  冷房フラグ、２４  暖房フラグ、２５  圧縮機運転フラグ、３１  データ取込手段、３２  データ平均手段、３３  運転時間算出手段、３４  発停回数算出手段、３５  熱量算出手段、３６  消費電力量算出手段、３７  取込データ記憶手段、３８  集計データ記憶手段、３９  通信手段、４１  データ収集手段、４２  データ平均手段、４３  データ積算手段、４４  ＣＯＰ算出手段、４５  報告書作成手段、４６  収集用データベース、４７  報告書用データベース。
【図１】
2008249261.tif 000003
【図２】
2008249261.tif 000004
【図３】
2008249261.tif 000005
【図４】
2008249261.tif 000006
【図５】
2008249261.tif 000007